(57)【特許請求の範囲】
【請求項１】
電動送風機を有する掃除機本体と、この掃除機本体に着脱自在に取り付けられるサイクロン式集塵部とを有し、このサイクロン式集塵部が、サイクロン筒と、このサイクロン筒の内壁に沿うように気流を導入する導入部とを有するサイクロン式電気掃除機において、
前記導入部に、吸引ホース部材の挿入筒部が挿入可能に構成されると共に、この挿入筒部の一端部における前記サイクロン式集塵部の中心側の壁を、前記サイクロン式集塵部の外周側に向けて屈曲させることで一端部側を狭くした屈曲部を設けたことを特徴とするサイクロン式電気掃除機。
【請求項２】
前記挿入筒部を前記導入部に挿入した状態において、前記屈曲部の端部が、前記サイクロン筒の内壁の延長面とほぼ等しい位置となるように構成したことを特徴とする請求項１記載のサイクロン式電気掃除機。
【発明の詳細な説明】
【技術分野】
【０００１】
本発明は、サイクロン式電気掃除機に関するものである。
【背景技術】
【０００２】
従来、この種のサイクロン式電気掃除機としては、電動送風機が内蔵された掃除機本体と、この掃除機本体に着脱自在に取り付けられるダストボックス１０１（本願発明の集塵部に相当する）とを有し、このダストボックス１０１の側壁１０２の略接線方向に気流が流入するように吸気口１０３（本願発明の導入部に相当する）を設けると共に、ダストボックスの側壁と同心円状且つ吸気口からダストボックスに流入する空気の流れ方向に前記ダストボックスの壁１０４を延設して前記吸気口の一部を閉塞したものが知られている（例えば、特許文献１参照。）。このようなサイクロン式電気掃除機は、前記壁１０４によって前記吸気口１０３の口径を連通部１０５の内径より小さくすることにより、前記ダストボックス内でのサイクロン作用を良好にすることができ、遠心力を良好にして高い集塵性能を得ることができると共に、前記ダストボックス内に溜まる塵埃の量を多くすることができて、使い勝手がよい電気掃除機を実現することができるものである。
【先行技術文献】
【特許文献】
【０００３】
【特許文献１】特許第３２９８５７３号公報
【発明の概要】
【発明が解決しようとする課題】
【０００４】
しかしながら、このようなサイクロン式電気掃除機は、前記吸気口の口径部に前記壁を形成しなければならないため、成形金型の構造が複雑となり、コストアップを招くという問題があった。また、前記吸気口を通る気流をスムーズに前記ダストボックスの内壁に向かうように導くには、前記吸気口の流通面積が口径部に向かって徐々に小さくなるようにしなければならないが、この場合、ダストボックスに肉厚となる部分が生じるため、成形の難易度は更に向上し、更にコストアップを招くことになる。
【０００５】
本発明は以上の問題点を解決し、安価にサイクロン作用を向上させることができるサイクロン式電気掃除機を提供することを目的とする。
【課題を解決するための手段】
【０００６】
本発明の請求項１に記載のサイクロン式電気掃除機は、電動送風機を有する掃除機本体と、この掃除機本体に着脱自在に取り付けられるサイクロン式集塵部とを有し、このサイクロン式集塵部が、サイクロン筒と、このサイクロン筒の内壁に沿うように気流を導入する導入部とを有するサイクロン式電気掃除機において、前記導入部に、吸引ホース部材の挿入筒部が挿入可能に構成されると共に、この挿入筒部の一端部における前記サイクロン式集塵部の中心側の壁を、前記サイクロン式集塵部の外周側に向けて屈曲させることで一端部側を狭くした屈曲部を設けたものである。
【０００７】
また、本発明の請求項２に記載のサイクロン式電気掃除機は、請求項１において、前記挿入筒部を前記導入部に挿入した状態において、前記屈曲部の端部が、前記サイクロン筒の内壁の延長面とほぼ等しい位置となるように構成したものである。
【発明の効果】
【０００８】
本発明の請求項１に記載のサイクロン式電気掃除機は、以上のように構成することにより、前記吸引ホース部材を通って吸引された含塵気流が、前記導入部内に挿入された前記挿入筒を通って前記サイクロン筒内に流入し、このサイクロン筒の内壁に沿って旋回する渦流となり、遠心力によって気流に含まれる塵埃を分離することができる。そしてこの際、含塵気流が前記サイクロン筒内に流入する直前に、前記屈曲部によって含塵気流の流通面積が狭められると共に前記サイクロン筒の内壁に向けて方向付けられるので、含塵気流をほぼ全て前記サイクロン筒の内壁に沿って旋回する渦流とし、また、前記サイクロン筒内の渦流の角速度を速くして、遠心分離作用を向上させることができる。また、前記挿入筒部に屈曲部を設けたことで、前記サイクロン式集塵部自体の構造を単純にすることができるため、サイクロン式集塵部の成形が容易であると共に、前記挿入筒部の成形の難易度は単なる円筒の場合と大差ない。従って、前記サイクロン式電気掃除機の遠心分離作用を向上させつつ、安価に構成することができる。
【０００９】
また、前記挿入筒部を前記導入部に挿入した状態において、前記屈曲部の端部が、前記サイクロン筒の内壁の延長面とほぼ等しい位置となるように構成したことで、前記屈曲部が前記サイクロン筒内を旋回する渦流の妨げにならないので、遠心分離作用の低下を抑えることができる。
【図面の簡単な説明】
【００１０】
【図１】本発明の一実施形態を示すサイクロン式電気掃除機の平面図である。
【図２】同、サイクロン式集塵部の概略説明図である。
【図３】従来のサイクロン式電気掃除機におけるサイクロン式集塵部の概略説明図である。
【発明を実施するための形態】
【００１１】
以下、本発明の実施形態について、図１及び図２に基づいて説明する。１は本発明のサイクロン式電気掃除機である。このサイクロン式電気掃除機１は、掃除機本体２と、サイクロン式集塵部３と、吸引ホース部材４とを有して構成される。
【００１２】
前記掃除機本体２は、その内部に電動送風機５を有する。また、前記掃除機本体２は、被清掃面上を自由に移動できるように、車輪６を有する。また、前記掃除機本体２は、その上面に、前記電動送風機５を作動させるためのスイッチ操作部７を有する。また、前記掃除機本体２は、その上面に、先端にプラグ８が設けられた図示しない電源コードを巻き取るためのコード巻き取り操作部９を有する。また、前記掃除機本体２は、その上面に、この掃除機本体を把持して持ち運ぶための把持部１０を有する。また、前記掃除機本体２は、その上面に、前記サイクロン式集塵部３を着脱自在に固定するためのフック１１を有する。更に、前記掃除機本体２は、その後部に排気口部１２を有する。
【００１３】
前記サイクロン式集塵部３は、前記掃除機本体２に対して着脱自在に取り付けられる。そして、前記サイクロン式集塵部３は、サイクロン筒１３と、このサイクロン筒１３と一体に設けられた導入部１４と、この導入部１４に固定された取付部１５と、前記サイクロン筒１３の中央に設けられた出口部１６とを有する。前記取付部１５には、前記吸引ホース部材４の挿入筒部１７が挿入される。そして、この挿入筒部１７は、前記取付部１５に対して取り付けられる。なお、前記挿入筒部１７の一端部１７Ａは、前記導入部１４内に達すると共に、前記サイクロン筒１３の内壁１３Ａの延長面とほぼ等しい位置となる。また、前記出口部１６は、前記サイクロン式集塵部３を掃除機本体２に取り付けた際に、前記電動送風機５と連通する。
【００１４】
また、前記挿入筒部１７を前記導入部１４に挿入した際に前記サイクロン集塵部３の中心側となる前記挿入筒部１７の一端部１７Ａの壁を、前記サイクロン式集塵部３の外周側に向けてスムーズに屈曲させることで、屈曲部１７Ｂが形成される。なお、前記挿入筒部１７は、前記屈曲部１７Ｂが前記サイクロン式集塵部３の中心側（図２における下側）となるように、挿入方向が規制される。また、前記挿入筒部１７の他端部には、図示しない屈曲ホース及び吸引ノズル等が設けられる。
【００１５】
このように、前記サイクロン式集塵部３の導入部１４を単なる筒状に形成することができるので、サイクロン式集塵部３自体の構造を単純にすることができる。従って、前記サイクロン式集塵部３を成形するための成形金型の構造も単純化することができるので、前記サイクロン式集塵部３を容易に且つ安価に製造することができる。一方、前記挿入筒部１７の成形の難易度は、成形金型の形状が違うだけで、単なる筒状のものを成形する場合と大差ない。従って、サイクロン式電気掃除機１を、容易且つ安価に製造することができる。
【００１６】
次に、本実施形態の作用について説明する。まず使用者は、図示しないコードリールから前記コードを引き出し、前記プラグ８を図示しない交流電源に接続する。また、前記サイクロン式集塵部３を前記掃除機本体２に取り付けると共に、前記ホース部材４の挿入筒部１７を、前記サイクロン式集塵部３の取付部１５に挿入し、取り付ける。そして、前記スイッチ操作部７を操作することで、前記電動送風機５を作動させる。このように、前記電動送風機５が作動すると、含塵気流が、前記ホース部材４を通って前記サイクロン式集塵部３に流入する。そして、このサイクロン式集塵部３で、気流から塵埃が分離される。また、塵埃が分離された気流は、前記サイクロン式集塵部３の出口部１６から前記電動送風機５に至り、更に、前記排気口部１２から大気中に放出される。
【００１７】
前記サイクロン式集塵部３及びその周辺における気流について詳述する。前記ホース部材４を通った含塵気流は、前記挿入筒部１７を通って前記サイクロン筒１３に流入する。この際、含塵気流のうち、図２の状態で前記サイクロン集塵部３の外周側となる前記挿入筒部１７の一端部１７Ａの壁（図２における前記挿入筒部１７の上壁）に沿って流れる含塵気流は、前記サイクロン筒１３の内壁１３Ａに沿うように前記サイクロン筒１３内に流入する。一方、含塵気流のうち、図２の状態で前記サイクロン集塵部３の中心側となる前記挿入筒部１７の一端部１７Ａの壁（図２における前記挿入筒部１７の下壁）に沿って流れる含塵気流は、前記屈曲部１７Ｂによって前記サイクロン筒１３の内壁１３Ａに向かうように方向付けられる。これによって、前記挿入筒部１７を通って前記サイクロン筒１３内に流入する含塵気流は、前記サイクロン筒１３の外周側を通るように方向付けられる。このため、前記挿入筒部１７から前記サイクロン筒１３内に流入した含塵気流は、ほぼ全て前記サイクロン筒１３の内壁１３Ａに沿って旋回する渦流となり、前記出口部１６から直接流出することが殆どない。
【００１８】
また、前記挿入筒部１７の一端部１７Ａ側が狭くなっていることで、前記サイクロン筒１３に流入する気流の流速は、前記挿入筒部１７を通過する気流の流速よりも速い。従って、前記サイクロン筒１３内の渦流の角速度を速くすることができるので、その分、気流中に含まれる塵埃に働く遠心力を大きくすることができ、遠心分離作用を高めることができる。
【００１９】
なお、前述したように、前記挿入筒部１７の一端部１７Ａが、前記サイクロン筒１３の内壁１３Ａの延長面とほぼ等しい位置となることで、前記挿入筒部１７の一端部１７Ａが前記サイクロン筒１３内の渦流を殆ど妨げないので、渦流による遠心分離作用の低下を抑えることができる。なお、前記挿入筒部１７の一端部１７Ａが前記サイクロン筒１３内に突出すると、この突出部分によって渦流が妨げられ、遠心分離作用が低下する虞がある。逆に、前記挿入筒部１７の一端部１７Ａが前記サイクロン筒１３から引っ込んだ位置にあると、前記サイクロン筒１３の内壁１３Ａと前記挿入筒部１７の一端部１７Ａとの間で乱流が発生することになり、遠心分離作用が低下する虞がある。
【００２０】
以上のように本発明は、電動送風機５を有する掃除機本体２と、この掃除機本体２に着脱自在に取り付けられるサイクロン式集塵部３とを有し、このサイクロン式集塵部３が、サイクロン筒１３と、このサイクロン筒１３の内壁１３Ａに沿うように気流を導入する導入部１４とを有するサイクロン式電気掃除機１であり、吸引ホース部材４の挿入筒部１７が前記導入部１４に挿入可能に構成されると共に、前記挿入筒部１７の一端部１７Ａにおける前記サイクロン式集塵部３の中心側の壁を、前記サイクロン式集塵部３の外周側に向けて屈曲させた屈曲部１７Ｂを設けたことで、単純で且つ安価な構成でありながら、渦流が前記サイクロン筒１３の外周側を通り且つ渦流の角速度を速くすることができるので、遠心分離作用を向上させることができるものである。
【００２１】
また、前記挿入筒部１７を前記導入部１４に挿入した状態において、前記屈曲部１７Ｂの端部、即ち前記一端部１７Ａが、前記サイクロン筒１３の内壁１３Ａの延長面とほぼ等しい位置となるように構成したことで、前記屈曲部１７Ｂが前記サイクロン筒１３内を旋回する渦流の妨げにならないので、遠心分離作用の低下を抑えることができる。
【００２２】
なお、本発明は以上の実施形態に限定されるものではなく、発明の要旨の範囲内で種々の変形実施が可能となる。例えば、上記実施形態では、サイクロン式集塵部の軸方向を水平としたが、サイクロン式集塵部の軸方向が垂直となる場合であっても、作用は同じである。
【符号の説明】
【００２３】
１  サイクロン式電気掃除機
２  掃除機本体
３  サイクロン式集塵部
４  吸引ホース部材
５  電動送風機
１３  サイクロン筒
１３Ａ  内壁
１４  導入部
１７  挿入筒部
１７Ａ  一端部
１７Ｂ  屈曲部
【図１】
0005486326.tif 000002
【図２】
0005486326.tif 000003
【図３】
0005486326.tif 000004